(57)【要約】【課題】この考案は、恋人、夫婦、友人と最小限の単位で、家庭でくつろぎの時等の日常において、また、旅行などの非日常時において、お互いの手の内をオープンの状態で、頭脳プレーを満喫できる二人ゲーム用麻雀牌の提供にある。【解決手段】一辺の長さが夫々同一の六面体を２８個設け、該各六面体の外面を牌面とし、各牌面には、麻雀の牌種である風牌４種、役牌３種及び数牌（万子、筒子、索子）の２７種を各５面（但し、北風牌及び西風牌については４面）、その同一の組み合わせが一つもなく、また隣り合う牌が全て異なるように、前記２８個の各六面体に表示し、その上面を牌として使用する二人ゲーム用麻雀牌。【選択図】図４
0003131337.tif 000002
【実用新案登録請求の範囲】
【請求項１】
一辺の長さが夫々同一の六面体を２８個設け、該各六面体の外面を牌面とし、各牌面には、麻雀の牌種である風牌４種、役牌３種及び数牌（万子、筒子、索子）の２７種を各５面（但し、北風牌及び西風牌については４面）、その同一の組み合わせが一つもなく、また隣り合う牌が全て異なるように、前記２８個の各六面体に表示し、その上面を牌として使用する二人ゲーム用麻雀牌。
【考案の詳細な説明】
【技術分野】
【０００１】
本考案は、家庭でくつろぎの時に、また、旅行の移動時等に、友人、恋人、夫婦等の２人で楽しめる二人ゲーム用麻雀牌に関するものである。
【背景技術】
【０００２】
従来、麻雀牌に関しては、牌そのものの使い勝手の問題から、例えば、特開２００４−３０５６４３号公報では、牌の背面において、両側縁の内側を凹陥させ、その上に牌を二段に載せたとき、背面が下段の牌の表面に嵌合して横滑りしない形状に構成したものが提案されている。
【０００３】
また、特開平１１−９００３６号公報では、牌の表面又は内部に牌識別情報を記録した情報片を配置した麻雀牌が提案されている。
【０００４】
また、特開２００３−５３０１８号公報では、従来の４個の同一牌を１組とする組牌において、その２個と他の２個を識別できる識別表示を表面に設け、追加役を付加できるようにして、遊戯性を高めるものが提案されている。
【特許文献１】特開２００４−３０５６４３号公報
【特許文献２】特開平１１−９００３６号公報
【特許文献３】特開２００３−５３０１８号公報
【考案の開示】
【考案が解決しようとする課題】
【０００５】
前記の提案は、いずれも、四人でゲームをすることを前提に構成されているため、牌の個数が多すぎて並べるのに手間が掛かり、また、二人でゲームをした場合には、２倍の確率で容易に手牌にすることができ、面白味が半減するものである。また、旅行に携帯するには嵩張り、また、重量も可成りなものになるものである。
【０００６】
現代は、個人生活の時代であり、最小の生活単位の二人で楽しめる娯楽用具を要請されている。本考案は、かかる要請に答えるものである。
【課題を解決するための手段】
【０００７】
一辺の長さが夫々同一の六面体を２８個設け、該各六面体の外面を牌面とし、各牌面には、麻雀の牌種である風牌４種、役牌３種及び数牌（万子、筒子、索子）の２７種を各５面（但し、北風牌及び西風牌については４面）、その同一の組み合わせが一つもなく、また隣り合う牌が全て異なるように、前記２８個の各六面体に表示し、その上面を牌として使用する二人ゲーム用麻雀牌にある。
【考案の効果】
【０００８】
本考案の二人ゲーム用麻雀牌は、前述のように、六面体の、２８個に通常の麻雀の牌種の３４種の１６８面を、その同一の組み合わせが一つもなく、また隣り合う牌が全て異なり、かつ可及的に異種牌を組み合わせられるように、前記２８個の各六面体に配列表示し、その上面位置の表示を牌面に利用するものであるから、通常の麻雀の牌１３６個に比較して１／４の２８の個数に減少させることができ、取扱い上、即ち、かき混ぜる、並べるが手軽に行え、また、携帯に便利である。
【考案を実施するための最良の形態】
【０００９】
一辺の長さが夫々同一の六面体を２８個設け、該各六面体の外面を牌面とし、各牌面には、麻雀の牌種である風牌４種、役牌３種及び数牌（万子、筒子、索子）の２７種を各５面（但し、北風牌及び西風牌については４面）、その同一の組み合わせが一つもなく、また、隣り合う牌が全て異なり、かつ可及的に異種牌を組み合わせられるように、前記２８個の各六面体に配列表示し、その上面を牌として使用する二人ゲーム用麻雀牌。
【００１０】
以下、本考案の二人ゲーム用麻雀牌の実施例として図面に示す二人ゲーム用麻雀牌により説明すると、外形が同一寸法の六面体３０を、例えば、合成樹脂を射出成型機により金型に射出して２８個成形する。そして、成形された２８個の六面体の各面に第１図、第２図、第３図に示すように、牌１は白、５索、７筒、三萬、２筒、９索の６種を、牌２は、発、８筒、二萬、１索、５筒、六萬の６種を、というように以下図面に示す通り、牌３、牌４・・・牌２８と、風牌４種、役牌３種及び数牌の３４種を各５面ずつ、但し、北牌と西牌については４面で、合わせて１６８面を、その同一の組み合わせが一つもなく、また、隣り合う牌を全て一個の牌において、同一の組み合わせがなく、また、隣り合う牌を全て異なるように表示している。
【００１１】
この考案の二人ゲーム用麻雀牌は、前述のように構成されるものであるから、例えば、禁止ルールを、（１）ゲーム者は前記麻雀の２８個を洗牌する時以外においては、全て指一本で動かすこと（これは牌を回転させて牌面を変えることを防ぐためである）。（２）ゲーム者は牌を洗牌時以外においてテーブル面より持ち上げないこと。（３）相手の捨て牌で上がる時、または、捨て牌をポン、チーをする時以外は必ず牌を２個、手の内で混ぜてから振り落とすものとする。
（４）ゲーム者は相手の捨て牌を待ち、２個の牌をテーブルの中央に振り落とすこと。（５）牌の数が少ないため、通常の暗カン同様にポンをした後のカンも禁止する。
【００１２】
次に、ゲームについて説明する。ゲーム者の二名によって全２８個の牌を充分にかき混ぜる。そして、半分の１４個を双方に分ける。再度、各自において、かき混ぜ、例えば、頃合いをみて双方から終わりの意思表示のもとに終わりの合図をかけ、その時に上面になっているものを牌配とする。そこで、各自、牌の上面をオープンの状態で手の内を整理し、不用のもの一個をテーブルの中央に戻す。ここで、親決めをジャンケン等で行う。また、ドラ牌の決定には、ゲーム者の一方がテーブルの中央に戻した二個の牌を取り、手の掌内でよくかき混ぜた後、一個をテーブルに振り出し、その上面の牌種をドラ牌とする。
【００１３】
かくして準備ができたのでゲームを開始する。親は、テーブルの中央に残された牌、二個を再び手の掌ないに戻してよくかき混ぜた後、その２個をテーブルの中央に同時に振り出し、それが完全に停止した後、その２個の内、どちらかの牌の上面を選択し、そのまま手の内に入れて交換する。このとき、牌を回転して上面を変更することはできない。そのために、前記のように、使用できる指を一本にしている。そして、補充牌が不用のときは、一度、自分の手の内に入れた後、場に戻しても、また、手に触れることなく、パスしてもよい。ポン及びチーは、通常麻雀と同様にできるルールとしてよいが、ポンをした後のカンは、牌の数が少ないので、前記のように禁止する。このようにして、牌の補充がオープンの状態で進行し、先に役を作りあげた者が勝者となる。
【００１４】
配点は、通常の麻雀の計算方法を使用するが、リーチに関してはオープン麻雀の特質から独自のルールを作ることができ、ポン、チーをしたとき以外は、全て計算に入れるように、ゲーム者どうしで取り決めをすることもできる。
【００１５】
各牌の牌種の配列は、前記条件を満たしている限りにおいて自由であり、図１、図２、図３に表示したものに限定されるものではない。
【産業上の利用可能性】
【００１６】
本考案の二人ゲーム用麻雀牌は、以上のようになるから、構成が簡単・安価であり、また、恋人、夫婦、友人と最小限の単位で、家庭でくつろぎの時等の日常において、また、旅行の移動などの非日常時において、お互いの手の内をオープンの状態で、互いに頭脳プレーを満喫でき、若々しく健康な生活を維持する娯楽用具として画期的効果を奏する。
【図面の簡単な説明】
【００１７】
【図１】本考案の二人ゲーム用麻雀牌の実施例を構成する２８牌の１２牌の展開図である。
【図２】同じく、本考案の二人ゲーム用麻雀牌の実施例を構成する２８牌のその他の１２牌の展開図である。
【図３】同じく、本考案の二人ゲーム用麻雀牌の実施例を構成する２８牌のその他の４牌の展開図である。
【図４】本考案の二人ゲーム用麻雀牌の実施例の牌によるゲーム開始時の配牌例を示す斜視図である。
【図５】ゲーム者の一方が上がりに揃った状態の牌列例を示す斜視図である。
【符号の説明】
【００１８】
１  牌（白、５索、７筒、三萬、２筒、９索の表示牌）
２  牌（発、八筒、二萬、１索、５筒、六萬の表示牌）
３  牌（中、２索、６筒、三萬、６索、一萬の表示牌）
４  牌（東、二筒、北、５索、１筒、四萬の表示牌）
５  牌（南、一萬、４索、五萬、６索、８筒の表示牌）
６  牌（西、９筒、六萬、２索、４筒、８索の表示牌）
７  牌（白、北、１索、６索、七萬、二萬の表示牌）
８  牌（発、５索、八萬、７索、四萬、１筒の表示牌）
９  牌（中、９筒、３索、七萬、５索、二萬の表示牌）
１０  牌（東、二萬、７筒、１索、六萬、３索の表示牌）
１１  牌（南、４筒、二萬、３筒、１索、七萬の表示牌）
１２  牌（西、９索、７筒、一萬、７索、３筒の表示牌）
１３  牌（白、８索、３索、四萬、９筒、５筒の表示牌）
１４  牌（発、８索、三萬、３索、五萬、７筒の表示牌）
１５  牌（中、八萬、９索、３筒、８筒、７索の表示牌）
１６  牌（東、３筒、七萬、２索、９筒、６索の表示牌）
１７  牌（南、三萬、３索、七萬、５索、１筒の表示牌）
１８  牌（西、２筒、九萬、１筒、４索、５筒の表示牌）
１９  牌（西、６筒、八萬、７索、白、１筒の表示牌）
２０  牌（発、６筒、６索、４索、九萬、北の表示牌）
２１  牌（中、２筒、四萬、４筒、六萬、１索の表示牌）
２２  牌（東、一萬、８筒、４索、８索、五萬の表示牌）
２３  牌（南、２筒、六萬、６筒、９索、四萬の表示牌）
２４  牌（白、４索、４筒、８筒、九萬、五萬の表示牌）
２５  牌（発、４筒、一萬、３筒、七萬、２索の表示牌）
２６  牌（中、九萬、５筒、北、８索、五萬の表示牌）
２７  牌（東、６筒、三萬、５筒、八萬、９索の表示牌）
２８  牌（南、２索、９筒、７索、７筒、九萬の表示牌）
【図１】
0003131337.tif 000003
【図２】
0003131337.tif 000004
【図３】
0003131337.tif 000005
【図４】
0003131337.tif 000006
【図５】
0003131337.tif 000007
【手続補正書】
【提出日】平成19年2月23日(2007.2.23)
【手続補正１】
【補正対象書類名】実用新案登録請求の範囲
【補正対象項目名】請求項１
【補正方法】変更
【補正の内容】
【請求項１】
一辺の長さが夫々同一の六面体を２８個設け、該各六面体の外面を牌面とし、各牌面には、麻雀の牌種である風牌４種、役牌３種及び数牌の２７種を各５面、但し北風牌及び西風牌については４面、その同一の組み合わせが一つもなく、また隣り合う牌が全て異なるように、前記２８個の各六面体に表示し、その上面を牌として使用する二人ゲーム用麻雀牌。
【手続補正２】
【補正対象書類名】明細書
【補正対象項目名】０００７
【補正方法】変更
【補正の内容】
【０００７】
一辺の長さが夫々同一の六面体を２８個設け、該各六面体の外面を牌面とし、各牌面には、麻雀の牌種である風牌４種、役牌３種及び数牌の２７種を各５面、但し北風牌及び西風牌については４面、その同一の組み合わせが一つもなく、また隣り合う牌が全て異なるように、前記２８個の各六面体に表示し、その上面を牌として使用する二人ゲーム用麻雀牌にある。